(57)【要約】      （修正有）【課題】頭部へ被せる略椀状の被冠部と、該被冠部を頭部へ被せた場合に後頭部から襟首に至る後垂れ布部と、左右両端を頭部外周にそれぞれ巻き付けて後頭部で固着する帯状の固着部材を一体形成し、該後垂れ布部の中央襟首部に着脱式垂れ布固定部兼収納用袋を設けた事で、装着性や機動性やファッション性に優れ、日焼け防止、吸汗等、多用途に効果を発揮する多目的日焼け防止用垂れ布付頭巾を提供する。【解決手段】タオル地や綿布等の織布により形成され、頭部へ沿うように椀状に被せる被冠部３ａと、該被冠部を頭部へ被せた場合に少なくとも後頭部から襟首に至る後垂れ布部３ｃと、左右両端を頭部外周にそれぞれ巻き付けて後頭部で固着、又は、顎下部で固着する帯状の固着部材３ｂを一体形成し、且つ、該被冠部の前方額部に汗を吸い取る吸汗布３ｄを縫着し、且つ、該後垂れ布部の中央襟首部に着脱式垂れ布固定部兼収納用袋２を設けたもの。【選択図】図６
0003148397.tif 000002
【実用新案登録請求の範囲】
【請求項１】
野外活動時に頭部に着用、又は、ヘルメット着用時の中頭巾として多用途に使用可能な垂れ布付頭巾において、該頭巾はタオル地や綿布等の織布により形成され、頭部へ沿うように椀状に被せる被冠部（１ａ）と、該被冠部（１ａ）を頭部へ被せた場合に少なくとも後頭部から襟首に至る後垂れ布部（１ｃ）と、左右両端を頭部外周にそれぞれ巻き付けて後頭部で固着、又は、顎下部で固着する帯状の固着部材（１ｂ）（１ｂ'）を一体形成し、且つ、該被冠部（１ａ）の前方額部に汗を吸い取る吸汗布（１ｄ）を縫着し、且つ、該後垂れ布部（１ｃ）の中央襟首部に着脱式垂れ布固定部兼収納用袋（２）を設けた事を特徴とする多目的日焼け防止用垂れ布付頭巾。
【請求項２】
帯状の固着部材は左表面と右裏面、又は、左裏面と右表面の両面に面ファスナー等の係止部材（１ｅ）（１ｆ）をそれぞれ設けるか、或いは、左右両端部を括って結合固着可能にする為、若干長めの帯状に形成して設けた事を特徴とする請求項１記載の多目的日焼け防止用垂れ布付頭巾。
【考案の詳細な説明】
【技術分野】
【０００１】
この考案は、野外活動時に頭部に着用、又は、ヘルメット着用時の中頭巾として多用途に使用可能な垂れ布付頭巾に関するものである。
【背景技術】
【０００２】
従来、野外活動用としての被り物は、帽子の他に手拭いやタオル等を首部に巻いて使用し、又、帽子の上から手拭いやタオル等で、頬かむり状に顔や頭部や首部を覆って日よけや防塵対策を行っていた。しかし、襟首等の首周りの遮光、防塵、通気、機動性等の機能は低く、日焼けや塵埃等の付着が多く快適とは言えず、野外活動用には適さなかった。
【０００３】
又、先に出願され公知に成っている作業ヘルメット用の中帽子体が存在するが、上記と同様に首回りの遮光、防塵、通気性、機動性に関して垂れ部が帽子部と一体化されて縫製されている事で、首部全体への遮光、防塵と垂れ部の動きに問題がある。特に、手拭やタオル等の定形物を流用することでの装着の不便性、不確実性が工事現場等に於いては作業時の安全性面からも問題があり、又、垂れ部を設けた中帽子体も、襟首及び垂れ部が帽子部と一体に縫製されている事で、中帽子体の後部縫合部から下向きに両側垂れ部が延長された状態で縫い合わされている為、頭部の移動に対する動きの追従と形状変化に問題が有った。（特許文献１参照。）
【特許文献１】特開平１１−１７２５１６
【考案の開示】
【考案が解決しようとする課題】
【０００４】
そこで、上記課題を解決する為に、この考案は頭部へ被せる略椀状の被冠部と、該被冠部を頭部へ被せた場合に少なくとも後頭部から襟首に至る後垂れ布部と、左右両端を頭部外周にそれぞれ巻き付けて後頭部で固着する帯状の固着部材を一体形成し、且つ、該後垂れ布部の中央襟首部に着脱式垂れ布固定部兼小物入れ用袋を設けた事で、装着性や機動性やファッション性に優れ、日焼け防止、防塵、通気性、吸汗、防寒等、多用途に効果を発揮する多目的日焼け防止用垂れ布付頭巾を開発・提供する事にある。
【課題を解決するための手段】
【０００５】
この課題を解決する為の手段として、タオル地や綿布等の織布により形成され、頭部へ沿うように椀状に被せる被冠部と、該被冠部を頭部へ被せた場合に少なくとも後頭部から襟首に至る後垂れ布部と、左右両端を頭部外周にそれぞれ巻き付けて後頭部で固着、又は、顎下部で固着する帯状の固着部材を一体形成し、且つ、該被冠部の前方額部に汗を吸い取る吸汗布を縫着し、且つ、該後垂れ布部の中央襟首部に着脱式垂れ布固定部兼収納用袋を設けたものである。又、帯状の固着部材は左表面と右裏面、又は、左裏面と右表面の両面に面ファスナー等の係止部材をそれぞれ設けるか、或いは、左右両端部を括って結合固着可能にする為、若干長めの帯状に形成して設けたものである。
【考案の効果】
【０００６】
この考案の効果として、タオル地や綿布等の織布により形成され、頭部へ沿うように椀状に被せる被冠部と、該被冠部を頭部へ被せた場合に少なくとも後頭部から襟首に至る後垂れ布部と、左右両端を頭部外周にそれぞれ巻き付けて後頭部で固着、又は、顎下部で固着する帯状の固着部材を一体形成し、且つ、該被冠部の前方額部に汗を吸い取る吸汗布を縫着し、且つ、該後垂れ布部の中央襟首部に着脱式垂れ布固定部兼収納用袋を設けた事で、日焼け防止、防塵、通気性、吸汗、防寒等、多用途に効果を発揮し、強風時においても後垂れ布部を確実に固定出来る。又、帯状の固着部材の左表面と右裏面、又は、左裏面と右表面の両面に面ファスナー等の係止部材をそれぞれ設けるか、或いは、左右両端部を括って結合固着可能にする為、若干長めの帯状に形成して設けた事で、顧客（使用者）の要求機能に適合したものが得られる等、極めて有益なる効果を奏するものである。
【考案を実施するための最良の形態】
【０００７】
この考案の最良の形態として、装着性や吸汗性やファッション性や機動性や経済性を考慮して、簡単、且つ、安価に入手可能なタオル地や綿布等の織布を使用し、且つ、誰もが容易に大量生産可能な簡単形状に形成する事が重要と成る。
【実施例１】
【０００８】
そこで、この考案の一実施例を図１〜図３に基づいて詳述すると、野外活動時に頭部に着用、又は、ヘルメット着用時の中頭巾として多用途に使用可能な垂れ布付頭巾において、該頭巾はタオル地や綿布等の織布により形成され、頭部へ沿うように椀状に被せる被冠部（１ａ）と、該被冠部（１ａ）を頭部へ被せた場合に少なくとも後頭部から襟首に至る後垂れ布部（１ｃ）と、左右両端を頭部外周にそれぞれ巻き付けて後頭部で固着、又は、顎下部で固着する帯状の固着部材（１ｂ）（１ｂ'）を一体形成し、且つ、該被冠部（１ａ）の前方額部に汗を吸い取る吸汗布（１ｄ）を縫着し、且つ、該後垂れ布部（１ｃ）の中央襟首部に着脱式垂れ布固定部兼収納用袋（２）を設けた事を特徴とする多目的日焼け防止用垂れ布付頭巾から構成される。
【０００９】
又、帯状の固着部材は左表面と右裏面、又は、左裏面と右表面の両面に面ファスナー等の係止部材（１ｅ）（１ｆ）をそれぞれ設けたものである。
【００１０】
次に、この考案の寸法形状を詳述すると、頭巾本体は図１（Ａ）に示す様に、所定幅（Ｗ１）が約６３０ｍｍと所定長さ（Ｌ１）が約６００ｍｍを有する略Ｔ字状に形成し、且つ、裾側に向けて略扇状に幅広に形成し、裾部を略Ｖ字状に形成して設けた後垂れ布部（１ｃ）中央の襟首部に着脱式垂れ布固定部兼収納用袋（２）を貼着する為の約２５ｍｍ×８０ｍｍの矩形状の面ファスナー等の係止部材（１ｇ）を中央下部にそれぞれ縦向きに三列並べて縫着して設け、且つ、中央上端部に額部の汗を吸い取る為の幅約４０ｍｍ×長さ約２９０ｍｍの帯状吸汗布（１ｄ）を縫着し、且つ、左固着部材（１ｂ）の表面部及び右固着部材（１ｂ'）の裏面部に面ファスナー等の係止部材（１ｅ）（１ｆ）をそれぞれ縫着して設けたものである。尚、上記収納用袋（２）には、例えば保冷剤等を入れて首元を冷やして熱中症等の予防に役立てる事も可能に成る。又、上記係止部材の寸法形状については、目的・用途に応じて変更しても構わない。
【００１１】
そして、頭巾本体の後垂れ布部（１ｃ）に設けた係止部材（１ｇ）部には、図１（Ｂ）に示す様に、横幅寸法約１０５ｍｍ×縦寸法約１２５ｍｍを有し、且つ、着脱式垂れ布固定部兼収納用袋（２）内部両面には袋の口部を固着する為の、幅２０ｍｍ×４０ｍｍの矩形状の面ファスナー等の係止部材（２ｃ）（２ｃ'）をそれぞれ縫着して設け、且つ、袋本体（２ａ）の裏面左右には袋固着用の幅２５ｍｍ×９０ｍｍの矩形状の面ファスナー等の係止部材（２ｂ）を縫着した袋状の着脱式垂れ布固定部兼収納用袋（２）を貼着する様に設けている。
【００１２】
又、図２は上記着脱式垂れ布固定部兼収納用袋（２）の詳細を示す斜視図である。
【００１３】
又、図３は面ファスナー結合型多目的日焼け防止用垂れ布付頭巾（１）に着脱式垂れ布固定部兼収納用袋（２）を貼着した時の裏面側視展開図である。
【００１４】
次に、この考案の使用方法について説明すると、図４に示す様に頭巾本体の被冠部（１ａ）が頭部の中心に合わせ、且つ、帯状吸汗布（１ｄ）部が額の中心に成る様に宛がいながら帯状の固着部材（１ｂ）（１ｂ'）を頭部外周にそれぞれ巻き付けて後頭部で面ファスナー等の係止部材（１ｅ）（１ｆ）により係止し、更に後垂れ布部（１ｃ）に設けた着脱式垂れ布固定部兼収納用袋（２）を襟首部に挿着して固定する。勿論、着脱式垂れ布固定部兼収納用袋（２）は保冷剤等を入れる為のもので、面ファスナーで固定されており、必要に応じて簡単に着脱可能に設けている。
【実施例２】
【００１５】
その他の事例として、図５（Ａ）（Ｂ），図６に示す様に、括り結合型多目的日焼け防止用垂れ布付頭巾（３）は、帯状の固着部材（３ｂ）（３ｂ'）の左右両端部を括って結合固着可能にする為、所定幅（Ｗ２）が約９００ｍｍ×所定長さ（Ｌ２）が約６００ｍｍと、横幅を若干長めの帯状に形成して設けたもので、固着部材（３ｂ）（３ｂ'）以外は面ファスナー結合型多目的日焼け防止用垂れ布付頭巾（１）とほぼ同様に形成されている。
【００１６】
又、使用方法については上記（実施例１）とほぼ同様であるが、相違点は帯状の固着部材（３ｂ）（３ｂ'）が括り結合型である為、図７に示す様に後頭部で括って係止するか、或いは、顎下部で括って係止しても構わない。
【産業上の利用可能性】
【００１７】
この考案の多目的日焼け防止用垂れ布付頭巾は、頭部へ被せる略椀状の被冠部と、該被冠部を頭部へ被せた場合に少なくとも後頭部から襟首に至る後垂れ布部と、左右両端を頭部外周にそれぞれ巻き付けて後頭部で固着する帯状の固着部材を一体形成し、且つ、該後垂れ布部の中央襟首部に着脱式垂れ布固定部兼収納用袋を設けた事で、装着性や機動性やファッション性に優れ、日焼け防止、防塵、通気性、吸汗、防寒等、多用途に効果を発揮する為、多くの頭巾を使用する関係市場に寄与する点で産業上の利用可能性を有する。
【図面の簡単な説明】
【００１８】
【図１】この考案の一実施例を示し、（Ａ）は多目的日焼け防止用垂れ布付頭巾の裏面側視展開図で、（Ｂ）は着脱式垂れ布固定部兼収納用袋の正面図である。
【図２】この考案の一実施例を示し、着脱式垂れ布固定部兼収納用袋の斜視図である。
【図３】この考案の一実施例を示し、多目的日焼け防止用垂れ布付頭巾に着脱式垂れ布固定部兼収納用袋を貼着時の裏面側視展開図である。
【図４】この考案の使用例を示し、面ファスナー結合型多目的日焼け防止用垂れ布付頭巾着用時の斜視図である。
【図５】この考案のその他の事例を示し、（Ａ）は括り結合型多目的日焼け防止用垂れ布付頭巾の裏面側視展開図で、（Ｂ）は着脱式垂れ布固定部兼収納用袋の正面図である。
【図６】この考案のその他の事例を示し、括り結合型多目的日焼け防止用垂れ布付頭巾に着脱式垂れ布固定部兼収納用袋を貼着時の裏面側視展開図である。
【図７】この考案のその他の使用例を示し、括り結合型多目的日焼け防止用垂れ布付頭巾着用時の斜視図である。
【符号の説明】
【００１９】
１  面ファスナー結合型多目的日焼け防止用垂れ布付頭巾
１ａ  被冠部
１ｂ  固着部材
１ｂ'  固着部材
１ｃ  後垂れ布部
１ｄ  吸汗布
１ｅ  面ファスナー等の係止部材
１ｆ  面ファスナー等の係止部材
１ｇ  面ファスナー等の係止部材
２  着脱式垂れ布固定部兼収納用袋
２ａ  袋本体
２ｂ  面ファスナー等の係止部材
２ｃ  面ファスナー等の係止部材
２ｃ'  面ファスナー等の係止部材
３  括り結合型多目的日焼け防止用垂れ布付頭巾
３ａ  被冠部
３ｂ  固着部材
３ｂ'  固着部材
３ｃ  後垂れ布部
３ｄ  吸汗布
３ｇ  面ファスナー等の係止部材
Ｌ１  所定長さ（面ファスナー結合型多目的日焼け防止用垂れ布付頭巾）
Ｌ２  所定長さ（括り結合型多目的日焼け防止用垂れ布付頭巾）
Ｗ１  所定幅（面ファスナー結合型多目的日焼け防止用垂れ布付頭巾）
Ｗ２  所定幅（括り結合型多目的日焼け防止用垂れ布付頭巾）
【図１】
0003148397.tif 000003
【図２】
0003148397.tif 000004
【図３】
0003148397.tif 000005
【図４】
0003148397.tif 000006
【図５】
0003148397.tif 000007
【図６】
0003148397.tif 000008
【図７】
0003148397.tif 000009